(57)【要約】  本発明によれば、操作手段によって指により第１の操作が行われた場合には、被写体の光学像をファインダの接眼部で観察可能な光学ビューファインダ状態と、被写体の撮像画像をファインダの接眼部で観察可能な電子ビューファインダ状態とが切り替わり、光学ビューファインダ状態で操作手段によって指により第２の操作が行われた場合には、ファインダの第１のファインダ光学系の倍率（光学倍率）が変更されるので、ユーザは、ファインダを覗いたまま、ファインダを切り替える操作（第１の操作）及びファインダの光学倍率を変更する操作（第２の操作）により被写体を自在に観察しながら、撮影を行うことができる。
2013153713.tif 000002
【特許請求の範囲】
【請求項１】
撮像レンズを介して被写体を撮像する撮像素子と、
接眼部、前記撮像レンズとは異なる経路で被写体の光学像を前記接眼部に導く第１のファインダ光学系、前記撮像素子で撮像して得られた被写体の撮像画像を表示可能な表示部、及び、前記表示部で表示された前記被写体の撮像画像を前記接眼部に導く第２のファインダ光学系を有するファインダと、
指で操作可能な操作手段と、
前記ファインダの前記第１のファインダ光学系を介して前記被写体の光学像を前記ファインダの前記接眼部に導くか、前記ファインダの前記表示部に前記被写体の撮像画像を表示させて該被写体の撮像画像を前記ファインダの前記第２のファインダ光学系を介して前記ファインダの前記接眼部に導くかを切り替えるファインダ切替制御手段と、
前記ファインダの前記第１のファインダ光学系の倍率を変更するファインダ変倍制御手段と、
前記操作手段によって第１の操作が行われた場合には、前記ファインダ切替制御手段によって前記ファインダの前記接眼部に前記被写体の光学像を導くか前記被写体の撮像画像を導くかを切り替え、前記ファインダの前記接眼部に前記被写体の光学像が導かれた光学ビューファインダ状態で前記操作手段によって前記第１の操作とは異なる第２の操作が行われた場合、前記ファインダ変倍制御手段に前記ファインダの前記第１のファインダ光学系の倍率を変更させる制御手段と、
を備えた撮像装置。
【請求項２】
前記撮像レンズを着脱自在なレンズ装着部と、
前記レンズ装着部に前記撮像レンズが装着されたか否かを検出する装着検出手段と、
前記装着検出手段によって前記撮像レンズの装着が検出された場合、前記撮像レンズの情報を前記撮像レンズから取得するレンズ情報取得手段を備え、
前記制御手段は、前記レンズ情報取得手段によって前記撮像レンズから取得された前記撮像レンズの情報に基づいて、前記ファインダ変倍制御手段により前記ファインダの前記第１のファインダ光学系の倍率を設定する請求項１に記載の撮像装置。
【請求項３】
前記制御手段は、前記ファインダの前記接眼部に前記被写体の撮像画像が導かれた電子ビューファインダ状態で前記操作手段によって前記第２の操作が行われた場合、前記ファインダの前記表示部に表示する前記被写体の撮像画像の倍率を変更する請求項１または２に記載の撮像装置。
【請求項４】
前記被写体の撮像画像を記録媒体に記録する撮影モード、及び前記記録媒体に記録された前記被写体の撮像画像を再生表示する再生モードがあり、
前記制御手段は、前記撮像装置の電源がオンされた場合は、前記撮像レンズから取得された前記撮像レンズの情報に基づいて、前記ファインダの前記第１のファインダ光学系の倍率を前記撮像レンズの焦点距離に応じた倍率に設定し、前記再生モードから前記撮影モードに復帰した場合は、前記ファインダの前記第１のファインダ光学系の倍率を復帰前の前記撮影モードで設定されていた倍率に設定する請求項２または３に記載の撮像装置。
【請求項５】
前記制御手段は、前記撮影モードから省電力のスリープモードに切り替える機能を有し、前記スリープモードから前記撮影モードに復帰させた場合は、前記ファインダの前記第１のファインダ光学系の倍率を復帰前の前記撮影モードで設定されていた倍率に設定する請求項４に記載の撮像装置。
【請求項６】
前記被写体の撮像画像を記録媒体に記録する撮影モード、及び前記記録媒体に記録された前記被写体の撮像画像を再生表示する再生モードがあり、
前記制御手段は、前記撮影モードで前記撮像レンズの非装着が検出された場合、前記ファインダを前記光学ビューファインダ状態に設定し、前記操作手段で前記第１の操作が行われても前記光学ビューファインダ状態を保つ請求項２から５のいずれか１項に記載の撮像装置。
【請求項７】
前記制御手段は、前記撮像レンズの非装着が検出された状態で前記第１の操作が行われた場合、前記被写体の撮像画像が表示不可であることを示す情報を前記ファインダの前記表示部に表示させることで、前記ファインダの前記表示部に表示された情報を前記ファインダの前記第２のファインダ光学系を介して前記被写体の光学像に重ねる請求項６に記載の撮像装置。
【請求項８】
前記操作手段は、前記第１の操作及び前記第２の操作のいずれによっても、第１の位置と前記第１の位置とは異なる第２の位置との間の同一の軌跡上を移動する可動部を有する請求項１から７のいずれか１項に記載の撮像装置。
【請求項９】
前記操作手段の前記可動部は、操作に伴い前記第１の位置から前記第２の位置に移動し、操作を中止すると前記第２の位置から前記第１の位置に戻るように構成され、
前記制御手段は、前記操作手段の前記可動部の前記第２の位置に位置している時間の長さに基づいて前記第１の操作と前記第２の操作とのいずれであるかを判定する請求項８に記載の撮像装置。
【請求項１０】
前記操作手段の前記可動部は、操作に伴い前記第１の位置から前記第２の位置に移動し、操作を中止すると前記第２の位置から前記第１の位置に戻るように構成され、
前記制御手段は、前記操作手段の前記可動部を前記第２の位置に所定の時間間隔よりも短い時間間隔で繰り返し位置させる操作が第１の回数あった場合には前記第１の操作と判定し、前記操作手段を前記第２の位置に所定の時間間隔よりも短い時間間隔で繰り返し位置させる操作が前記第１の回数と異なる回数あった場合には前記第２の操作と判定する請求項８に記載の撮像装置。
【請求項１１】
前記被写体と正対する面に、前記操作手段及び発光部が配置され、
前記操作手段は、前記発光部の位置とは離間する方向に、前記第１の操作及び前記第２の操作により移動する請求項１から１０のいずれか１項に記載の撮像装置。
【請求項１２】
前記被写体と正対する面に、前記操作手段及びマイクが配置され、
前記操作手段は、前記マイクの位置とは離間する方向に、前記第１の操作及び前記第２の操作により移動する請求項１から１１のいずれか１項に記載の撮像装置。
【請求項１３】
撮影指示の入力を受け付ける撮影指示入力部を備え、
前記操作手段の可動部は、前記撮影指示入力部を人差し指で触れながら、前記操作手段の可動部を前記人差し指と同じ手の中指で操作可能な位置に配置されている請求項１から１２のいずれか１項に記載の撮像装置。
【請求項１４】
片手で把持される把持部を備え、
前記操作手段は、前記把持部を把持した手の指で操作可能な位置に設けられている請求項１から１３のいずれか１項に記載の撮像装置。
【請求項１５】
撮像レンズを介して被写体を撮像する撮像素子と、接眼部、前記撮像レンズとは異なる経路で被写体の光学像を前記接眼部に導く第１のファインダ光学系、前記撮像素子で撮像して得られた被写体の撮像画像を表示可能な表示部、及び、前記表示部で表示された前記被写体の撮像画像を前記接眼部に導く第２のファインダ光学系を有するファインダと、指で操作可能な操作手段と、前記ファインダの前記第１のファインダ光学系を介して前記被写体の光学像を前記ファインダの前記接眼部に導くか、前記ファインダの前記表示部に前記被写体の撮像画像を表示させて該被写体の撮像画像を前記ファインダの前記第２のファインダ光学系を介して前記ファインダの前記接眼部に導くかを切り替えるファインダ切替制御手段と、前記ファインダの前記第１のファインダ光学系の倍率を変更するファインダ変倍制御手段と、を用い、
前記操作手段によって第１の操作が行われた場合には、前記ファインダ切替制御手段によって前記ファインダの前記接眼部に前記被写体の光学像を導くか前記被写体の撮像画像を導くかを切り替え、前記ファインダの前記接眼部に前記被写体の光学像が導かれた光学ビューファインダ状態で前記操作手段によって前記第１の操作とは異なる第２の操作が行われた場合、前記ファインダ変倍制御手段に前記ファインダの前記第１のファインダ光学系の倍率を変更させる撮像方法。
【発明の詳細な説明】
【技術分野】
【０００１】
本発明は、撮像装置及び撮像方法に関し、特にファインダの接眼部を覗いたまま、その接眼部に被写体の光学像及び被写体の撮像画像のいずれを導かせるかの切換操作と、ファインダの光学倍率の切換操作とを、自在に行うことができる撮像装置及び撮像方法に関する。
【背景技術】
【０００２】
特許文献１には、光学ビューファインダ（ＯＶＦ）の光学像と、電子ビューファインダ（ＥＶＦ）の表示画像とを接眼部に導くことが可能なファインダが開示されている。【０００３】
また、撮像レンズをカメラ本体に着脱自在なレンズ交換式カメラとして、反射ミラーを省略したミラーレス一眼カメラが普及してきている。
【先行技術文献】
【特許文献】
【０００４】
【特許文献１】特開平３−２９２０６７号公報
【発明の概要】
【発明が解決しようとする課題】
【０００５】
しかしながら、接眼部を覗いたまま、光学ビューファインダ（以下「ＯＶＦ」ともいう）と電子ビューファインダ（以下「ＥＶＦ」ともいう）との切換え操作と、光学ビューファインダ（ＯＶＦ）の変倍操作とを、自在に行うことは容易でない。【０００６】
ＯＶＦの被写体の光学像とＥＶＦの被写体の撮像画像とを接眼部に導くことが可能なファインダ（ハイブリッドビューファインダ）では、接眼部を覗きながら、ＯＶＦとＥＶＦとを切り替える操作（ファインダ切替操作）を行うことになる。しかし、ＥＶＦからＯＶＦに切り替えたとき、接眼部を覗いたまま、ＯＶＦの光学倍率を変更する操作（ファインダ変倍操作）を行うことは、難しい。なぜなら、ファインダ切替操作用の操作手段とは別のファインダ倍率変更のための操作手段を、目視しないままで、操作しなければいけないからである。従って、ユーザは、接眼部から目を離して、ファインダ変倍操作を行うことになっていた。【０００７】
本発明はこのような事情に鑑みてなされたもので、ファインダの接眼部を覗いたまま、その接眼部に被写体の光学像及び被写体の撮像画像のいずれを導かせるかの切換操作と、ファインダの光学倍率の切換操作とを、自在に行うことができる撮像装置及び撮像方法を提供することを目的とする。
【課題を解決するための手段】
【０００８】
上記目的を達成するために、本発明は、撮像レンズを介して被写体を撮像する撮像素子と、接眼部、撮像レンズとは異なる経路で被写体の光学像を接眼部に導く第１のファインダ光学系、撮像素子で撮像して得られた被写体の撮像画像を表示可能な表示部、及び、表示部で表示された被写体の撮像画像を接眼部に導く第２のファインダ光学系を有するファインダと、指で操作可能な操作手段と、ファインダの第１のファインダ光学系を介して被写体の光学像をファインダの接眼部に導くか、ファインダの表示部に被写体の撮像画像を表示させて該被写体の撮像画像をファインダの第２のファインダ光学系を介してファインダの接眼部に導くかを切り替えるファインダ切替制御手段と、ファインダの第１のファインダ光学系の倍率を変更するファインダ変倍制御手段と、操作手段によって第１の操作が行われた場合には、ファインダ切替制御手段によってファインダの接眼部に被写体の光学像を導くか被写体の撮像画像を導くかを切り替え、ファインダの接眼部に被写体の光学像が導かれた光学ビューファインダ状態で操作手段によって第１の操作とは異なる第２の操作が行われた場合、ファインダ変倍制御手段にファインダの第１のファインダ光学系の倍率を変更させる制御手段と、を備えた撮像装置を提供する。【０００９】
これによれば、操作手段によって指により第１の操作が行われた場合には、被写体の光学像をファインダの接眼部で観察可能な光学ビューファインダ状態と、被写体の撮像画像をファインダの接眼部で観察可能な電子ビューファインダ状態とが切り替わり、光学ビューファインダ状態で操作手段によって指により第２の操作が行われた場合には、ファインダの第１のファインダ光学系の倍率（光学倍率）が変更されるので、ユーザは、ファインダを覗いたまま、ファインダを切り替える操作（第１の操作）及びファインダの光学倍率を変更する操作（第２の操作）により被写体を自在に観察しながら、撮影を行うことができる。【００１０】
一実施態様では、撮像レンズを着脱自在なレンズ装着部と、レンズ装着部に撮像レンズが装着されたか否かを検出する装着検出手段と、装着検出手段によって撮像レンズの装着が検出された場合、撮像レンズの情報を撮像レンズから取得するレンズ情報取得手段を備え、制御手段は、レンズ情報取得手段によって撮像レンズから取得された撮像レンズの情報に基づいて、ファインダ変倍制御手段によりファインダの第１のファインダ光学系の倍率を設定する。即ち、撮像レンズ（交換レンズ）がレンズ装着部に装着されると、ファインダの光学倍率（第１のファインダ光学系の倍率）が、装着された撮像レンズに適した倍率に自動的に設定されるので、ユーザは、レンズ装着時に、ファインダ操作をしなくても、ファインダの接眼部を覗くことで、装着された撮像レンズに適した光学倍率で被写体の光学像を観察することができる。【００１１】
一実施態様では、制御手段は、ファインダの接眼部に被写体の撮像画像が導かれた電子ビューファインダ状態で操作手段によって第２の操作が行われた場合、ファインダの表示部に表示する被写体の撮像画像の倍率を変更する。即ち、電子ビューファインダ状態にて第２の操作を行うことで、ファインダの電子倍率を自在に変更して、被写体の撮像画像を観察することができる。【００１２】
一実施態様では、被写体の撮像画像を記録媒体に記録する撮影モード、及び記録媒体に記録された被写体の撮像画像を再生表示する再生モードがあり、制御手段は、撮像装置の電源をオンした場合は、撮像レンズから取得された撮像レンズの情報に基づいて、ファインダの第１のファインダ光学系の倍率を撮像レンズの焦点距離に応じた倍率に設定し、再生モードから撮影モードに復帰した場合は、ファインダの第１のファインダ光学系の倍率を復帰前の撮影モードで設定されていた倍率に設定する。即ち、電源をオンした場合は、撮影状況が前回の撮影時とは変わっている場合が多いので、ファインダの光学倍率が撮像レンズに適したデフォルト値でよいが、再生モードから撮影モードに復帰した場合は、撮影状況が前回の撮影時と同じ場合が多いので、ユーザにとって、ファインダの光学倍率が自動的に前回の撮影時と同じ倍率に切り換わることが好ましい。【００１３】
一実施態様では、制御手段は、撮影モードから省電力のスリープモードに切り替える機能を有し、スリープモードから撮影モードに復帰させた場合は、第１のファインダ光学系の倍率を復帰前の撮影モードで設定されていた倍率に設定する。即ち、電源をオンした場合は、撮影状況が前回の撮影時とは変わっている場合が多いので、ファインダの光学倍率が撮像レンズに適したデフォルト値で一般によいが、スリープモードから撮影モードに復帰した場合は、撮影状況が前回の撮影時と同じ場合が多いので、ユーザにとって、ファインダの光学倍率が自動的に前回の撮影時と同じ倍率に切り換わることが好ましい。【００１４】
一実施態様では、被写体の撮像画像を記録媒体に記録する撮影モード、及び記録媒体に記録された被写体の撮像画像を再生表示する再生モードがあり、制御手段は、撮影モードで撮像レンズの非装着が検出された場合、ファインダを光学ビューファインダ状態に設定し、操作手段で第１の操作が行われても光学ビューファインダ状態を保つ。【００１５】
一実施態様では、制御手段は、撮像レンズの非装着が検出された状態で第１の操作が行われた場合、被写体の撮像画像が表示不可であることを示す情報をファインダの表示部に表示させることで、ファインダの表示部に表示された情報をファインダの第２のファインダ光学系を介して被写体の光学像に重ねる。【００１６】
一実施態様では、操作手段は、第１の操作及び第２の操作のいずれによっても、第１の位置と第１の位置とは異なる第２の位置との間の同一の軌跡上を移動する可動部を有する。即ち、指で操作手段の可動部を第１の位置と第２の位置との間の同一の軌跡上を移動させるだけで、ファインダの接眼部を覗いたまま第１の操作（ファインダ切替操作）及び第２の操作（ファインダ変倍操作）を容易に行うことができる。【００１７】
一実施態様では、操作手段の可動部は、操作に伴い第１の位置から第２の位置に移動し、操作を中止すると第２の位置から第１の位置に戻るように構成され、制御手段は、操作手段の可動部の第２の位置に位置している時間の長さに基づいて第１の操作と第２の操作とのいずれであるかを判定する。即ち、指で操作手段の可動部を短く操作することで迅速にファインダ切り換えを行うことができ、指で操作手段の可動部を長く操作することで被写体の光学像を観察しながらファインダの光学倍率を変更できる。なお本態様において、操作手段が可動部の第２の位置に位置している時間がしきい値よりも短い場合は第１の操作と判定し、しきい値以上である場合には第２の操作と判定するようにしてもよい。【００１８】
一実施態様では、操作手段の可動部は、操作に伴い第１の位置から第２の位置に移動し、操作を中止すると第２の位置から第１の位置に戻るように構成され、制御手段は、操作手段の可動部を第２の位置に所定の時間間隔よりも短い時間間隔で繰り返し位置させる操作が第１の回数あった場合には第１の操作と判定し、操作手段を第２の位置に所定の時間間隔よりも短い時間間隔で繰り返し位置させる操作が第１の回数と異なる回数あった場合には第２の操作と判定する。即ち、指で操作手段の可動部を操作する回数により、ファインダ切り換えを行うことができ、かつ、被写体の光学像を観察しながらファインダの光学倍率を変更できる。なお本態様において「所定の時間間隔」は、あらかじめ決められた時間間隔であってよい。【００１９】
一実施態様では、撮像装置の被写体と正対する面に、操作手段及び発光部が配置され、操作手段は、発光部の位置とは離間する方向に、第１の操作及び第２の操作により移動する。即ち、撮影時に、発光部を指で覆ってしまわないようにすることができる。【００２０】
一実施態様では、撮像装置の被写体と正対する面に、操作手段及びマイクが配置され、操作手段は、マイクの位置とは離間する方向に、第１の操作及び第２の操作により移動する。即ち、撮影時に、マイクを指で覆ってしまわないようにすることができる。【００２１】
一実施態様では、撮影指示の入力を受け付ける撮影指示入力部を備え、操作手段の可動部は、撮影指示入力部を人差し指で触れながら、操作手段の可動部を人差し指と同じ手の中指で操作可能な位置に配置されている。即ち、片手で、撮影指示、ファインダ切替操作及びファインダ変倍操作を行うことができる。【００２２】
一実施態様では、片手で把持される把持部を備え、操作手段は、把持部を把持した手の指で操作可能な位置に設けられている。即ち、片手で撮像装置を把持しながら、ファインダ切替操作及びファインダ変倍操作を行うことができる。【００２３】
また、本発明は、撮像レンズを介して被写体を撮像する撮像素子と、接眼部、撮像レンズとは異なる経路で被写体の光学像を接眼部に導く第１のファインダ光学系、撮像素子で撮像して得られた被写体の撮像画像を表示可能な表示部、及び、表示部で表示された被写体の撮像画像を接眼部に導く第２のファインダ光学系を有するファインダと、指で操作可能な操作手段と、ファインダの第１のファインダ光学系を介して被写体の光学像をファインダの接眼部に導くか、ファインダの表示部に被写体の撮像画像を表示させて該被写体の撮像画像をファインダの第２のファインダ光学系を介してファインダの接眼部に導くかを切り替えるファインダ切替制御手段と、ファインダの第１のファインダ光学系の倍率を変更するファインダ変倍制御手段と、を用い、操作手段によって第１の操作が行われた場合には、ファインダ切替制御手段によってファインダの接眼部に被写体の光学像を導くか被写体の撮像画像を導くかを切り替え、ファインダの接眼部に被写体の光学像が導かれた光学ビューファインダ状態で操作手段によって第１の操作とは異なる第２の操作が行われた場合、ファインダ変倍制御手段にファインダの第１のファインダ光学系の倍率を変更させる撮像方法を提供する。斯かる撮像方法によれば、上記態様の撮像装置と同様に、ファインダを覗いたまま、ファインダを切り替える操作（第１の操作）及びファインダの光学倍率を変更する操作（第２の操作）により被写体を自在に観察しながら、撮影を行うことができる。
【発明の効果】
【００２４】
本発明によれば、ファインダの接眼部を覗いたまま、その接眼部に被写体の光学像及び被写体の撮像画像のいずれを導かせるかの切換操作と、ファインダの光学倍率の切換操作とを、自在に行うことができる。
【図面の簡単な説明】
【００２５】
【図１】図１は、本発明の一の実施形態に係る撮像装置１００の正面斜視図である。
【図２】図２は、撮像装置１００の背面図である。
【図３】図３は、ファインダの要部構成図であり、ファインダ変倍レンズを光路Ｌ２から退避させた状態を示す。
【図４】図４は、ファインダの要部構成図であり、液晶シャッタが遮光状態である場合を示す。
【図５】図５は、ファインダの要部構成図であり、ファインダ変倍レンズを光路Ｌ２に進入させた状態を示す。
【図６】図６は、撮像装置１００の要部構成を示すブロック図である。
【図７】図７（Ａ）は、指で操作可能な操作手段の一例としてのファインダ操作レバー２１４が第１の位置にある状態を示す説明図であり、図７（Ｂ）はそのファインダ操作レバーが第２の位置にある状態を示す説明図である。
【図８】図８（Ａ）は第１の焦点距離の交換レンズを装着した場合の光学像の例を示し、図８（Ｂ）は第１の焦点距離よりも大きな第２の焦点距離の交換レンズを装着した場合の光学像の例を示し、図８（Ｃ）は第２の焦点距離よりも大きな第３の焦点距離の交換レンズを装着した場合の光学像の例を示す。
【図９】図９（Ａ）は、ファインダ変倍レンズ２４４を光路Ｌ２に進入させた状態を示す斜視図であり、図９（Ｂ）は、ファインダ変倍レンズ２４４を光路Ｌ２から退避させた状態を示す斜視図である。
【図１０】図１０は、第１の実施例のレバー操作に対応したファインダ制御処理の流れを示すフローチャートである。
【図１１】図１１は、第２の実施例のレバー操作に対応したファインダ制御処理の流れを示すフローチャートである。
【図１２】図１２は、撮像装置１００の電源オン時におけるファインダ制御処理の流れを示すフローチャートである。
【図１３】図１３は、交換レンズ３００の非装着を検出したときのファインダ制御処理の流れを示すフローチャートである。
【図１４】図１４は、撮像装置１００のファインダ操作レバーが操作されたときのファインダ制御処理例の流れを示すフローチャートである。
【図１５】図１５は、撮像装置１００のモード切替処理時のファインダ制御処理例の流れを示すフローチャートである。
【図１６】図１６は、スライド操作部材からなるファインダ操作レバーをカメラ本体２００の前面に設けた場合の説明図である。
【発明を実施するための形態】
【００２６】
以下、添付図面に従って本発明を実施するための形態について詳細に説明する。
【００２７】
図１は、本発明の一の実施の形態に係るレンズ交換式カメラである撮像装置１００の正面斜視図であり、図２は、撮像装置１００の背面図である。撮像装置１００は、カメラ本体２００と、カメラ本体２００に交換可能に装着される交換レンズ３００と、から構成される。カメラ本体２００と交換レンズ３００とは、カメラ本体２００に備えられたマウント２５６と、カメラ本体２００側のマウント２５６に対応する交換レンズ３００側のマウント３４６とが結合されることにより、交換可能に装着される。
【００２８】
カメラ本体２００の前面には、マウント２５６の他、ファインダ２４０（後に詳述）のファインダ窓２４１、ファインダ操作レバー２１４、発光部２６２、マイク２６４等が設けられている。尚、ファインダ２４０の光軸Ｌ２は、交換レンズ３００の光軸Ｌ１とは異なる光軸である。また、カメラ本体２００の上面には、主としてレリーズボタン２１１及びダイヤル２１２が設けられている。
【００２９】
レリーズボタン２１１は、撮像開始の指示を入力するための操作手段であり、いわゆる「半押し」と「全押し」とからなる２段ストローク式のスイッチで構成されている。デジタルカメラは、レリーズスイッチが半押しされることによってＳ１オンの信号、半押しから更に押し込む全押しがされることによってＳ２オンの信号が出力され、Ｓ１オン信号が出力されると自動焦点調節（ＡＦ処理）や自動露出制御（ＡＥ処理）などの撮影準備処理を実行し、Ｓ２オン信号が出力されると撮影処理を実行する。なお、レリーズスイッチは半押しと全押しとからなる２段ストローク式のスイッチの形態に限られず、1回の操作でＳ１オンの信号、Ｓ２オンの信号を出力しても良く、それぞれ個別のスイッチを設けてＳ１オンの信号、Ｓ２オンの信号を出力しても良い。また、タッチ式パネル等により操作指示を行う形態では、これら操作手段としてタッチ式パネルの画面に表示される操作指示に対応する領域をタッチすることで操作指示を出力するようにしても良く、本発明においては撮影準備処理や撮影処理を指示するものであれば操作手段の形態はこれらに限られない。また、１つの操作手段への操作指示で撮影準備処理と撮影処理を連続して実行するようにしても良い。
【００３０】
カメラ本体２００の背面には、主として、ファインダ２４０の接眼部２４２、モニタ２１３、ＭＥＮＵ／ＯＫキー２２２、十字キー２２１（方向指示ボタン）、ＢＡＣＫキー２２３、Ｑボタン２２４が設けられている。
【００３１】
ＭＥＮＵ／ＯＫキー２２２は、モニタ２１３の画面上にメニューを表示させる指令を行うためのメニューボタンとしての機能と、選択内容の確定及び実行などを指令するＯＫボタンとしての機能とを兼備した操作キーである。十字キー２２１は、上下左右の４方向の指示を入力する操作部であり、メニュー画面から項目を選択したり、各メニューから各種設定項目の選択を指示したりするボタン（カーソル移動操作手段）として機能する。また、十字キー２２１の上／下キーは撮影時のズームスイッチあるいは再生モード時の再生ズームスイッチとして機能し、左／右キーは再生モード時のコマ送り（順方向／逆方向送り）ボタンとして機能する。ＢＡＣＫキー２２３は、選択項目など所望の対象の消去や指示内容の取消し、あるいは１つ前の操作状態に戻らせるときなどに使用される。Ｑボタン２２４は、モニタ２１３の画面上に所望のメニュー画面を表示させる指令を行うボタンとして機能する。
【００３２】
図３〜５は、ファインダ２４０の光学系を示す模式図である。図３及び図５は光学像が視認可能な状態を示し、図４は電子像が視認可能な状態を示す。
【００３３】
ファインダ２４０は、主として、ファインダ窓２４１、接眼部２４２、液晶シャッタ２４３、ファインダ変倍レンズ２４４、対物レンズ２４５、プリズム２４６、接眼レンズ２４７、液晶板２４８、液晶板用レンズ２４９とで構成される。
【００３４】
ファインダ窓２４１、接眼部２４２、液晶シャッタ２４３、対物レンズ２４５、プリズム２４６、接眼レンズ２４７は、光軸Ｌ２上に配置される。ファインダ窓２４１、液晶シャッタ２４３、対物レンズ２４５、プリズム２４６を透過した被写体光は、接眼レンズ２４７により接眼部２４２に導かれる。この結果、被写体の光学像が接眼部２４２から視認される。すなわち、ファインダ窓２４１、液晶シャッタ２４３、対物レンズ２４５、プリズム２４６、接眼レンズ２４７、接眼部２４２は、光学ファインダ（光学ビューファインダ）として機能する。
【００３５】
ファインダ変倍レンズ２４４は、図３に示す光軸Ｌ２上から退避した位置（退避位置）と、図５に示す光軸Ｌ２上に進入した位置（進入位置）との間で、平行移動自在に設けられる。図３に示すファインダ変倍レンズ２４４が光軸Ｌ２上から退避した状態から、図５に示すファインダ変倍レンズ２４４が光軸Ｌ２上に進入した状態へ変更されると、接眼部２４２から観察される光学像が拡大される。
【００３６】
液晶シャッタ２４３（遮光手段）は、ファインダ窓２４１から入射した被写体光の光軸と垂直となるように、ファインダ窓２４１の背面に設けられている。液晶シャッタ２４３は、一対の基板間に封止された液晶層を有し、液晶層に印加する電圧により偏光方向が変化する液晶パネルである。液晶シャッタ２４３は、例えば１６００×９００画素の解像度を有する液晶パネルであり、ファインダ切替制御部２３９（図６参照）の制御により、図４に示すようにファインダ窓２４１から入射した被写体光を遮光する遮光状態と、被写体光を透過させる透過状態（非遮光状態）とを画素毎に切り替え可能に構成されている。
【００３７】
液晶板２４８（表示部）は、本例では液晶シャッタ２４３の解像度と同じ１６００×９００画素の表示解像度を有する液晶パネルである。液晶板２４８には、表示制御部２１０（図６参照）の制御により、交換レンズ３００の焦点距離（画角）に基づいて、撮像素子２０２の受光面に入射した被写体光の範囲である撮影範囲を示すフレーム枠が表示される。また、液晶板２４８には、表示制御部２１０（図６参照）の制御により、被写体の撮像画像を反転して表示することもできる。
【００３８】
液晶板２４８に表示された画像は、光軸Ｌ３上にある液晶板用レンズ２４９を透過して、プリズム２４６（画像重畳手段）に入射される。
【００３９】
プリズム２４６は、第１プリズム２４６ａと第２プリズム２４６ｂとから構成されており、第１プリズム２４６ａと第２プリズム２４６ｂとが接合する部分には、ハーフミラー面２４６Ｍが形成されている。このハーフミラー面２４６Ｍは、液晶板用レンズ２４９の光軸Ｌ３に対して４５度傾けられて設置される。液晶板２４８に表示された画像は、液晶板用レンズ２４９によって拡大され、ハーフミラー面２４６Ｍによって左右が反転されて図面右方向に反射される。ハーフミラー面２４６Ｍによって反射された画像（正立正像）は、接眼レンズ２４７を透過して接眼部２４２に導かれる。
【００４０】
図６は撮像装置１００の構成を示すブロック図である。撮像装置１００の動作は、カメラ本体２００のメインＣＰＵ２５１及び交換レンズ３００のレンズＣＰＵ３４０によって統括制御されている。
【００４１】
メインＣＰＵ２５１は、フラッシュＲＯＭ２２６に記憶されたカメラ制御プログラムをＳＤＲＡＭ２３２に展開し、ＳＤＲＡＭ２３２をワークメモリとして使用しながら各種処理を実行する。また、レンズＣＰＵ３４０は、ＲＯＭ３４４に記憶されたカメラ制御プログラムをＲＡＭ３４２に展開し、ＲＡＭ３４２をワークメモリとして使用しながら各種処理を実行する。ＳＤＲＡＭ２３２は、メインＣＰＵ２５１の演算作業用領域として利用されると共に、画像データの一時記憶領域としても利用される。フラッシュＲＯＭ２３１には、メインＣＰＵ２５１が実行する制御プログラム及び制御に必要な各種データ等が格納されており、ＲＯＭ２２８には、ユーザ設定情報等のデジタルカメラの動作に関する各種設定情報等が格納されている。
【００４２】
ユーザによりＭＥＮＵ／ＯＫキー２２２、十字キー２２１、ＢＡＣＫキー２２３等を含む操作部２２０が操作されると、操作部２２０からの信号はメインＣＰＵ２５１に入力され、メインＣＰＵ２５１は入力信号に基づいてカメラ本体２００の各回路を制御すると共に、後述するようにマウント２５６及びマウント通信部２５０を介して交換レンズ３００との間で信号を送受信する。
【００４３】
マウント２５６には端子２５７が設けられており、マウント３４６には端子３４７が設けられていて、交換レンズ３００をカメラ本体２００に装着すると、対応する端子２５７と端子３４７とが接触して通信が可能となる（尚、本発明における端子２５７、端子３４７の位置及び個数は、限定されるものではない）。カメラ本体２００と交換レンズ３００との間では駆動指令、各種制御ステータス（レンズ駆動開始／完了通知等）、レンズの設定情報等の通信が行われる。上述した端子には例えば接地用端子、同期信号用端子、シリアル通信用端子、制御ステータス通信用端子、及びカメラ本体２００のバッテリ２５２から交換レンズ３００の各部への電源供給用端子が含まれる。
【００４４】
交換レンズ３００は、主として、ズームレンズＺＬ、フォーカスレンズＦＬ、絞りＩ、レンズＣＰＵ３４０等から構成される。
【００４５】
ズームレンズＺＬ及びフォーカスレンズＦＬは、同じ光軸上を前後移動し、ズーム及びフォーカスを行う。ズームレンズＺＬは、ズームレンズ制御部３１０により駆動されて焦点距離が変更される。メインＣＰＵ２５１は、ユーザが行ったズームレバーの操作に応じて、交換レンズ３００内のズームレンズＺＬを移動させて焦点距離を変更する。フォーカスレンズＦＬは、フォーカスレンズ制御部３２０により駆動される。
【００４６】
絞りＩは、撮像素子２０２へ入射する光量を制御し、シャッタスピードと共に露出の制御を行う。絞りＩは、例えば、５枚の絞り羽根からなり、絞り値Ｆ1.4〜Ｆ11まで１ＡＶ刻みで６段階に絞り制御される。絞りＩは、絞り制御部３３０によって駆動され、開口量が調整される。
【００４７】
レンズＣＰＵ３４０は、位置センサ（図示せず）によって検出されたズームレンズＺＬ及びフォーカスレンズＦＬの光軸方向の現在位置とレンズ目標位置と、ＲＯＭ３４４からＲＡＭ３４２に展開された交換レンズ３００の設定情報のうちのレンズ調整ＥＥＰＲＯＭ値に基づいてズームレンズＺＬ及びフォーカスレンズＦＬの移動量を決定する。
【００４８】
ズームレンズ制御部３１０は、レンズＣＰＵ３４０からの指令に従い、ズームレンズＺＬを光軸方向に移動させて撮影倍率を可変する。また、フォーカスレンズ制御部３２０は、レンズＣＰＵ３４０からの指令に従い、フォーカスレンズＦＬを光軸方向に沿って前後に移動させて被写体に合焦させる。絞り制御部３３０は、レンズＣＰＵ３４０からの指令に従い、絞りＩの絞り値を変更する。
【００４９】
撮像素子２０２は、ズームレンズＺＬ、フォーカスレンズＦＬ及び絞りＩの後段に配置されており、ズームレンズＺＬ、フォーカスレンズＦＬ及び絞りＩを透過した被写体光を受光する。撮像素子２０２は、多数の受光素子がマトリクス状に配列された受光面を備えている。ズームレンズＺＬ、フォーカスレンズＦＬ及び絞りＩを透過した被写体光は、この撮像素子２０２の受光面上に結像され、各受光素子によって電気信号に変換される。尚、撮像素子２０２としては、ＣＭＯＳ、ＣＣＤ等の様々な光電変換素子を用いることができる。
【００５０】
この撮像素子２０２（撮影手段）は、撮像素子制御部２０１から供給される垂直転送クロック及び水平転送クロックに同期して、各画素に蓄積された電荷を１ラインずつシリアルな画像信号として出力する。メインＣＰＵ２５１は、撮像素子制御部２０１を制御して、撮像素子２０２の駆動を制御する。
【００５１】
尚、各画素の電荷蓄積時間（露出時間）は、撮像素子制御部２０１から与えられる電子シャッタ駆動信号によって決められる。メインＣＰＵ２５１は、撮像素子制御部２０１に対して電荷蓄積時間を指示する。
【００５２】
また、画像信号の出力は、撮像装置１００が撮影モードにセットされると開始される。すなわち、撮像装置１００が撮影モードにセットされると、モニタ２１３にスルー画像（ライブビュー画像）を表示するため、画像信号の出力が開始される。このスルー画像用の画像信号の出力は、本撮影の指示が行われると一旦停止され、本撮影が終了すると再度開始される。
【００５３】
本例の撮像素子２０２から出力される画像信号は、アナログ信号であり、このアナログの画像信号は、アナログ信号処理部２０３（撮影手段）に取り込まれる。
【００５４】
アナログ信号処理部２０３（撮影手段）は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を増幅する。このアナログ信号処理部２０３で信号処理が施されたアナログの画像信号は、Ａ／Ｄ変換器２０４に取り込まれる。
【００５５】
尚、撮像素子２０２内にＡ／Ｄ変換器が設けられている場合には、撮像素子２０２からデジタル信号が出力され、アナログ信号処理部２０３の代わりに、デジタル信号を処理する手段が設けられる。
【００５６】
Ａ／Ｄ変換器２０４は、取り込んだアナログの画像信号を所定ビットの階調幅を持ったデジタルの画像信号に変換する。この画像信号は、いわゆるＲＡＷデータであり、画素毎Ｒ、Ｇ、Ｂの濃度を示す階調値を有している。
【００５７】
画像入力コントローラ２０５（撮影手段）は、所定容量のラインバッファを内蔵しており、Ａ／Ｄ変換器２０４から出力された１コマ分の画像信号を蓄積する。この画像入力コントローラ２０５に蓄積された１コマ分の画像信号は、ＳＤＲＡＭ２３２に格納される。
【００５８】
ＳＤＲＡＭ２３２に格納された１コマ分の画像信号は、点順次（画素の順番）にデジタル信号処理部２０６（撮影手段）に取り込まれる。
【００５９】
デジタル信号処理部２０６は、点順次に取り込んだＲ、Ｇ、Ｂの各色の画像信号に対して信号処理を施し、輝度信号Ｙと色差信号Ｃｒ、Ｃｂとからなる画像信号（Ｙ／Ｃ信号）を生成する。
【００６０】
ＡＦ検出部２２７は、メインＣＰＵ２５１の指令に従い、ＳＤＲＡＭ２３２に格納されたＲ、Ｇ、Ｂの画像信号を取り込み、ＡＦ（Automatic Focus）制御に必要な焦点評価値を算出する。このＡＦ検出部２２７は、Ｇ信号の高周波成分のみを通過させるハイパスフィルタ、絶対値化処理部、画面に設定されたフォーカス領域（以下、ＡＦエリアという）内の信号を切り出すＡＦエリア抽出部、及び、ＡＦエリア内の絶対値データを積算する積算部を含み、この積算部で積算されたＡＦエリア内の絶対値データを焦点評価値としてメインＣＰＵ２５１に出力する。焦点評価値に基づくフォーカスレンズＦＬの制御方式としては、焦点評価値が極大となる位置をサーチし、その位置にフォーカスレンズＦＬを移動させる方式や、フォーカスレンズＦＬを焦点評価値が増加する方向に移動させて行き、焦点評価値が減少し始める点を検出するとその位置にフォーカスレンズ群を設定する山登り方式を用いることができる。また、位相差を用いる位相差ＡＦ用の撮像素子を別途配設し、位相差ＡＦ用の撮像素子により検出された位相差を用いてＡＦを行う位相差方式を用いてもよい。
【００６１】
ＡＥ／ＡＷＢ検出部２２９は、ＳＤＲＡＭ２３２に格納されたＲ、Ｇ、Ｂの画像信号を取り込み、画面全体のＧ信号を積算し、又は画面中央部と周辺部とで異なる重みづけをしたＧ信号を積算し、そのＡＥ制御に必要な積算値をメインＣＰＵ２５１に出力する。メインＣＰＵ２５１は、積算値から輝度値を算出し、輝度値から露出値を求める。また露出値からプログラム線図に従って、絞り値及びシャッタ速度を決定する。
【００６２】
また、ＡＥ／ＡＷＢ検出部２２９は、ＡＷＢ制御に必要な物理量として、１画面を複数のエリア（例えば、１６×１６）に分割し、分割したエリア毎にＲ、Ｇ、Ｂの画像信号の色別の平均積算値を算出する。メインＣＰＵ２５１は、得られたＲの積算値、Ｂの積算値、Ｇの積算値から分割エリア毎にＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ／ＡＷＢ検出部２２９は、ＳＤＲＡＭ２３２に格納された一コマ分の画像信号に光源種に応じたデジタルゲインをかけることでホワイトバランス調整を行うと共に、ガンマ（階調特性）処理及びシャープネス処理を行ってＲ、Ｇ、Ｂ信号を生成する。
【００６３】
圧縮・伸張処理部２０８は、メインＣＰＵ２５１からの指令に従ってデジタル信号処理部２０６で生成された画像データに圧縮処理を施し、圧縮画像データを生成する。また、圧縮された画像データに伸張処理を施して、非圧縮の画像データを生成する。
【００６４】
メディア制御部２３４は、メインＣＰＵ２５１からの指令に従い、撮影により得られた画像データをメモリカード２３６に記録し、また、記録済み画像をメモリカード２３６から読み出す。なおメモリカード２３６は着脱可能な記憶媒体には限定されず、撮像装置１００に内蔵された記憶媒体でもよい。
【００６５】
表示制御部２１０（表示制御手段）は、メインＣＰＵ２５１からの指令に従いモニタ２１３及び液晶板２４８への表示を制御する。
【００６６】
ファインダ変倍制御部２３８（ファインダ変倍制御手段）は、ファインダ２４０のファインダ変倍レンズ２４４を駆動して、ファインダ変倍レンズ２４４の光軸Ｌ２上への挿脱を行うことにより、ファインダ２４０のＯＶＦ光学系（第１のファインダ光学系）の光学倍率（ＯＶＦ倍率）を変更する。
【００６７】
ファインダ切替制御部２３９（ファインダ切替制御手段）は、ファインダ２４０のＯＶＦ状態及びＥＶＦ状態を切り替える。即ち、ファインダ切替制御部２３９は、ファインダ２４０のＯＶＦ光学系（第１のファインダ光学系）を介して被写体の光学像をファインダ２４０の接眼部２４２に導く状態（ＯＶＦ状態）とするか、ファインダ２４０の液晶板２４８（表示部）に被写体の撮像画像を表示させて、その被写体の撮像画像をＥＶＦ光学系（第２のファインダ光学系）を介してファインダ２４０の接眼部２４２に導く状態（ＥＶＦ状態）とするかを、切り替える。
【００６８】
［操作手段の例の説明］
図７（Ａ）及び（Ｂ）は、指で操作可能な操作手段の一例であるファインダ操作レバー２１４の説明図である。図７（Ａ）はファインダ操作レバー２１４がデフォルト位置（第１の位置）に位置した状態を示し、図７（Ｂ）はファインダ操作レバー２１４が指示を受け付ける指示位置（第２の位置）に位置した状態を示す。
【００６９】
ファインダ操作レバー２１４は、指により、第１の操作（ファインダ切替操作）及び第２の操作（ファインダ変倍操作）のいずれによっても、デフォルト位置と指示位置との間の同一の軌跡上を移動する。つまり、本例では、ファインダ操作レバー２１４の全体が可動部であり、図７（Ａ）に矢印で示したようにデフォルト位置から指示位置へ、指でファインダ操作レバー２１４を回動させることができる。また、指示位置に位置したファインダ操作レバー２１４から指を離すと、図７（Ｂ）に矢印で示したように指示位置からデフォルト位置へ戻る。本例のファインダ操作レバー２１４は、指示位置からデフォルト位置へ戻るように付勢されている。
【００７０】
尚、指で回動操作が可能な回動操作部材をカメラ本体２００に設けた場合を説明したが、本発明はこのような場合には限定されない。例えば、指でスライド操作が可能なスライド操作部材を、ファインダ操作用の操作手段として、カメラ本体２００に設けてもよい。
【００７１】
また、カメラ本体２００の被写体と正対する前面において、ファインダ操作レバー２１４の周辺に発光部２６２及びマイク２６４が配置されており、ファインダ操作レバー２１４は、カメラ本体２００の前面上で発光部２６２及びマイク２６４の位置から離間する方向に、第１の操作（ファインダ切替操作）及び第２の操作（ファインダ変倍操作）により回動（移動）する。
【００７２】
また、図１に示したように、カメラ本体２００の上面には、撮影指示の入力を受け付けるレリーズボタン２１１（撮影指示入力部）が配置されており、ファインダ操作レバー２１４は、レリーズボタン２１１を右手の人差し指で触れながら、そのレリーズボタン２１１に触れた人差し指と同じ右手の中指で操作可能な位置に、配置されている。また、カメラ本体２００には、右手で把持される把持部２７０が形成されており、ファインダ操作レバー２１４は、把持部２７０を把持した右手の指で操作可能な位置に設けられている。
【００７３】
ファインダ操作レバー２１４によるファインダ操作には、ファインダ切替操作（第１の操作）及びファインダ変倍操作（第２の操作）の２種類がある。
【００７４】
メインＣＰＵ２５１は、ファインダ操作レバー２１４が操作されると、その操作の種類がファインダ切替操作及びファインダ変倍操作のいずれであるかを判定し、その判定の結果に応じて、ファインダ制御を行う。
【００７５】
また、ファインダ切替操作及びファインダ変倍操作のいずれであるかの判定（操作種類判定）の態様には、各種ある。例えば、ファインダ操作レバー２１４が指示位置に連続して位置している時間の長短に基づいて、操作種類判定を行う態様がある。また、ファインダ操作レバー２１４が一定の時間間隔よりも短い時間間隔で指示位置に繰り返し位置した回数に基づいて、操作種類判定を行う態様がある。
【００７６】
［ファインダ切替制御の例の説明］
ファインダ切替制御例の概要について説明する。ファインダ操作レバー２１４によってファインダ切替操作（第１の操作）が行われた場合、メインＣＰＵ２５１は、ファインダ切替制御部２３９により、ファインダ２４０をＯＶＦ（光学ビューファインダ）状態とするかＥＶＦ（電子ビューファインダ）状態とするかを切り替える制御を行う。ＯＶＦ状態では、図３に示したように、ファインダ窓２４１に入射した被写体の光学像が、光軸Ｌ２に沿って、非遮光状態の液晶シャッタ２４３、対物レンズ２４５、及びプリズム２４６及び接眼レンズ２４７を介して、接眼部２４２に導かれる。また、ＥＶＦ状態では図４に示したように、液晶シャッタ２４３は遮光状態に設定され、液晶板２４８に表示された被写体の撮像画像が、光軸Ｌ３に沿って液晶板用レンズ２４９を介してプリズム２４６に達し、プリズム２４６のハーフミラー２４６Ｍで反射されて、光軸Ｌ２に沿って接眼レンズ２４７を介して接眼部２４２に導かれる。
【００７７】
［ファインダ変倍制御の例の説明］
ファインダ変倍制御例について説明する。ファインダ２４０の接眼部２４２に被写体の光学像が導かれたＯＶＦ（光学ビューファインダ）状態で、ファインダ操作レバー２１４によってファインダ変倍操作（第２の操作）が行われた場合、メインＣＰＵ２５１は、ファインダ変倍制御部２３８によって、ファインダ２４０の光学倍率（ＯＶＦ倍率）を切り替える制御を行う。即ち、ファインダ変倍制御部２３８に、ファインダ２４０のＯＶＦ光学系（第１のファインダ光学系）の倍率を変更させる。本例では、ファインダ変倍レンズ２４４を、図３に示すようにＯＶＦ光学系の光軸Ｌ２上から退出させた状態とするか、図５に示すようにＯＶＦ光学系の光軸Ｌ２上に進入させた状態とするかを切り替えることで、ＯＶＦ倍率を切り替える。
【００７８】
また、メインＣＰＵ２５１は、ファインダ２４０の接眼部２４２に被写体の撮像画像が導かれたＥＶＦ（電子ビューファインダ）状態で、ファインダ操作レバー２１４によってファインダ変倍操作（第２の操作）が行われた場合、表示制御部２１０によって、ファインダ２４０の液晶板２４８に表示された被写体の撮像画像の電子倍率を変更する。即ち、表示制御部２１０に、ファインダ２４０のＥＶＦ光学系（第２のファインダ光学系）の倍率を変更させる。
【００７９】
図８（Ａ）〜（Ｃ）は、ＯＶＦ（光学ビューファインダ）の変倍制御の説明図である。交換レンズ３００の焦点距離が第１の焦点距離（本例では１８ｍｍ）である場合に接眼部２４２で観察される光学像を、図８（Ａ）に示す。また、交換レンズ３００の焦点距離が第１の焦点距離よりも大きい第２の焦点距離（本例では３５ｍｍ）である場合に接眼部２４２で観察される光学像を、図８（Ｂ）に示す。また、交換レンズ３００の焦点距離が第２の焦点距離よりも大きい第３の焦点距離（本例では６０ｍｍ）である場合に接眼部２４２で観察される光学像を、図８（Ｃ）に示す。
【００８０】
本実施形態のメインＣＰＵ２５１は、マウント通信部２５０によって交換レンズ３００から交換レンズ３００の情報（例えば焦点距離に関する情報）を取得して、交換レンズ３００の焦点距離に応じてＯＶＦ光学系の倍率を変更する第１のＯＶＦ変倍制御機能と、ファインダ操作レバー２１４によるファインダ変倍操作（第２の操作）に応じてＯＶＦ光学系の倍率を変更する第２のＯＶＦ変倍制御機能を有する。
【００８１】
まず、交換レンズ３００の情報に応じた第１のＯＶＦ変倍制御機能について説明する。
【００８２】
交換レンズ３００の焦点距離が第１の焦点距離（本例では１８ｍｍ）である場合、ファインダ変倍制御部２３８は、図３に示すようにファインダ変倍レンズ２４４を光路Ｌ２上から退避した位置（退避位置）に設定する。そうすると、ファインダ２４０の接眼部２４２では、図８（Ａ）に示す広角の光学像Ｗが観察される。尚、光学像Ｗに撮影範囲を示すフレーム枠の画像Ｆを重畳させるため、表示制御部２１０によってファインダ２４０の液晶板２４８にフレーム枠の画像Ｆを表示する。
【００８３】
交換レンズ３００の焦点距離が第２の焦点距離（本例では３５ｍｍ）である場合、ファインダ変倍レンズ２４４を退避位置に設定すると、撮影範囲を示すフレーム枠Ｆは第１の焦点距離の場合と比較して小さくなってしまう。そこで、図５に示すようにファインダ変倍レンズ２４４を光路Ｌ２上に進入した位置（進入位置）に設定する。そうすると、ファインダ２４０の接眼部２４２では、図８（Ｂ）の下段に示す望遠の光学像Ｔが観察される。つまり、フレーム枠Ｆを、第１の焦点距離の交換レンズ３００を装着した場合と略同じサイズとすることができる。
【００８４】
交換レンズ３００の焦点距離が第３の焦点距離（本例では６０ｍｍ）である場合、ファインダ変倍レンズ２４４を退避位置に設定すると、撮影範囲を示すフレーム枠Ｆは第１の焦点距離の場合と比較してかなり小さくなってしまう。そこで、図５に示すようにファインダ変倍レンズ２４４を進入位置に設定する。そうすると、ファインダ２４０の接眼部２４２では、図８（Ｃ）の下段に示す望遠の光学像Ｔが観察される。つまり、フレーム枠Ｆを、第２の焦点距離の交換レンズ３００を装着してファインダ変倍レンズ２４４を退避位置に設定した場合と略同じサイズとすることができる。
【００８５】
次に、ファインダ操作レバー２１４の操作に応じて行う第２のＯＶＦ変倍制御について説明する。
【００８６】
第２の焦点距離（本例では３５ｍｍ）の交換レンズ３００が装着された場合、前述のように、交換レンズ３００の焦点距離に応じてファインダ変倍レンズ２４４を進入位置に設定すると、図８（Ｂ）の下段に示す望遠の光学像Ｔがファインダ２４０の接眼部２４２で観察される。ここで、フレーム枠Ｆの外側を観察しようとして、ファインダ操作レバー２１４によってファインダ変倍操作（第２の操作）を行うと、図３に示すようにファインダ変倍レンズ２４４が退避位置に移動し、図８（Ｂ）の上段に示す広角の光学像Ｗがファインダ２４０の接眼部２４２で観察されるようになる。再びファインダ操作レバー２１４によってファインダ変倍操作を行うと、図８（Ｂ）の下段に示す望遠の光学像Ｔがファインダ２４０の接眼部２４２で観察される。
【００８７】
第３の焦点距離（本例では６０ｍｍ）の交換レンズ３００が装着された場合、前述のように、交換レンズ３００の焦点距離に応じてファインダ変倍レンズ２４４を進入位置に設定すると、図８（Ｃ）の下段に示す望遠の光学像Ｔがファインダ２４０の接眼部２４２で観察される。ここで、ファインダ操作レバー２１４によってファインダ変倍操作（第２の操作）を行うと、図３に示すようにファインダ変倍レンズ２４４が退避位置に移動し、図８（Ｃ）の上段に示す広角の光学像Ｗがファインダ２４０の接眼部２４２で観察されるようになる。再びファインダ操作レバー２１４によってファインダ変倍操作を行うと、図８（Ｃ）の下段に示す望遠の光学像Ｔがファインダ２４０の接眼部２４２で観察される。
【００８８】
尚、本例では、第１の焦点距離の交換レンズ３００が装着された場合、ファインダ操作レバー２１４でファインダ変倍操作を行っても、ＯＶＦの倍率の拡大を行わない。その理由は、光学像３１を拡大すると、撮影範囲がファインダ２４０の接眼部２４２の外側になってしまうからである。しかし、本発明は、このような場合に限定されず、被写体の光学像を拡大して観察したい操作者のため、ファインダ変倍操作でＯＶＦ倍率の拡大を行ってもよい。
【００８９】
尚、理解を容易にするため、図３及び図５によってファインダ変倍レンズ２４４の退避位置及び進入位置を説明したが、図１に示した撮像装置１００では、実際には、図９（Ａ）及び（Ｂ）に示すように、ファインダ変倍レンズ２４４は光軸Ｌ２及び光軸Ｌ３の両方と直交する方向（横方向）において移動する。
【００９０】
［第１実施例のファインダ操作］
図１０は、第１の実施例のレバー操作に対応したファインダ制御処理の流れを示すフローチャートである。本処理は、カメラ本体２００のメインＣＰＵ２５１により、プログラムに従って実行される。
【００９１】
まず、ファインダ２４０をＯＶＦ（光学ビューファインダ）状態に初期設定して（ステップＳ２）、ＯＶＦフラグを「１」（ＯＶＦ）に設定し（ステップＳ４）、ファインダ２４０の光学倍率（ＯＶＦ倍率）を、交換レンズ３００の焦点距離に基づいて自動的に設定する（ステップＳ６）。本例では、交換レンズ３００の焦点距離が所定値（本例では３０ｍｍ）以上の場合にはファインダ変倍レンズ２４４を進入位置に設定し、交換レンズ３００の焦点距離が所定値未満の場合にはファインダ変倍レンズ２４４を退避位置に設定する。
【００９２】
ファインダ操作レバー２１４の操作有りか否かを判定し（ステップＳ８）、操作有りの場合には、ファインダ操作レバー２１４の一定時間以上の操作があったか否かを判定する（ステップＳ１０）。つまり、ファインダ操作レバー２１４をデフォルト位置（第１の位置）から指示位置（第２の位置）に移動し、ファインダ操作レバー２１４の指示位置（第２の位置）に連続して位置している時間が一定時間（例えば２秒）以上である場合にはファインダ変倍操作であると判定し、一定時間（例えば２秒）よりも短い場合にはファインダ切替操作と判定する。
【００９３】
ファインダ操作レバー２１４の一定時間以上の操作があった場合（ステップＳ１０でＹｅｓ）、ＯＶＦフラグが「１」であるか否かを判定する（ステップＳ１２）。つまり、ファインダ２４０がＯＶＦ（光学ビューファインダ）状態であるか否かを判定する。ＯＶＦフラグが「１」である場合には、ファインダ変倍制御部２３９によりファインダ変倍レンズ２４４を光路Ｌ２に対して進退させてファインダ２４０の光学倍率を変更し（ステップＳ１４）、ＯＶＦフラグが「０」である場合には、表示制御部２１０によりファインダ２４０の電子倍率（ＥＶＦ倍率）を変更する（ステップＳ１６）。
【００９４】
ファインダ操作レバー２１４の操作が一定時間未満であった場合（ステップＳ１０でＮｏ）、ＯＶＦフラグが「１」（ＯＶＦ）であるか否かを判定する（ステップＳ１８）。ＯＶＦフラグが「１」（ＯＶＦ）である場合には、ファインダ２４０をＯＶＦ状態からＥＶＦ状態に切り替え（ステップＳ２０）、ＯＶＦフラグを「０」（ＥＶＦ）に設定する（ステップＳ２２）。ＯＶＦフラグが「０」である場合には、ファインダ２４０をＥＶＦ状態からＯＶＦ状態に切り替え（ステップＳ２４）、ＯＶＦフラグを「１」（ＯＶＦ）に設定する（ステップＳ２６）。
【００９５】
［第２実施例のファインダ操作］
図１１は、第２の実施例の操作に対応したファインダ制御処理の流れを示すフローチャートである。本処理は、カメラ本体２００のメインＣＰＵ２５１により、プログラムに従って実行される。
【００９６】
ステップＳ３２〜Ｓ３６は、図１０に示した第１の実施例のステップＳ２〜Ｓ６と同様であり、説明を省略する。
【００９７】
ファインダ操作レバー２１４の操作が有りか否かを判定し（ステップＳ３８）、操作有りの場合には、ファインダ操作レバー２１４の第１の回数の操作があったか否かを判定する（ステップＳ４０）。つまり、ファインダ操作レバー２１４を第２の位置に一定の時間間隔（例えば１秒）よりも短い時間間隔で繰り返し位置させる操作が第１の回数（例えば１回）あったか否かを判定する。ファインダ操作レバー２１４の第１の回数の操作があった場合、ＯＶＦフラグが「１」であるか否かを判定し（ステップＳ４２）、ＯＶＦフラグが「１」である場合には、ファインダ変倍制御部２３９によりファインダ変倍レンズ２４４を光路Ｌ２に対して進退させてファインダ２４０の光学倍率を変更し（ステップＳ４４）、ＯＶＦフラグが「０」である場合には、表示制御部２１０によりファインダ２４０の電子倍率（ＥＶＦ倍率）を変更する（ステップＳ４６）。
【００９８】
また、ファインダ操作レバー２１４の第２の回数の操作があったか否かを判定する（ステップＳ４７）。つまり、ファインダ操作レバー２１４を第２の位置に一定の時間間隔（例えば１秒）よりも短い時間間隔で繰り返し位置させる操作が第２の回数（例えば２回）あったか否かを判定する。ファインダ操作レバー２１４の第２の回数の操作があった場合、ファインダ操作レバー２１４の操作が第２の回数である場合、ＯＶＦフラグが「１」であるか否かを判定し（ステップＳ４８）、ＯＶＦフラグが「１」である場合には、ファインダ２４０をＯＶＦ状態からＥＶＦ状態に切り替え（ステップＳ５０）、ＯＶＦフラグを「０」（ＥＶＦ）に設定する（ステップＳ５２）。ＯＶＦフラグが「０」である場合には、ファインダ２４０をＥＶＦ状態からＯＶＦ状態に切り替え（ステップＳ５４）、ＯＶＦフラグを「１」（ＯＶＦ）に設定する（ステップＳ５６）。
【００９９】
［電源オン時のファインダ制御処理例］
図１２は、撮像装置１００の電源オン時におけるファインダ制御処理の流れを示すフローチャートである。本処理は、カメラ本体のメインＣＰＵ２５１によってプログラムに従い実行される。
【０１００】
マウント通信部２５０（装着検出手段及びレンズ情報取得手段）によって、交換レンズ３００がマウント２５６に装着されているか否かを検出する（ステップＳ１０２）。
【０１０１】
交換レンズ３００が装着されていた場合（ステップＳ１０２でＹｅｓ）、マウント通信部２５０（装着検出手段及びレンズ情報取得手段）によって交換レンズ３００からレンズ情報を取得し（ステップＳ１０４）、取得されたレンズ情報に基づいてファインダ２４０のＯＶＦ倍率を決定する（ステップＳ１０６）。
【０１０２】
例えば、交換レンズ３００から交換レンズ３００の焦点距離を示す情報を含むレンズ情報を取得し、その取得した焦点距離に基づいてＯＶＦ倍率を決定する。交換レンズ３００の種別を示す情報（レンズ種別情報）を含むレンズ情報を取得し、その取得したレンズ種別情報に基づいてＯＶＦ倍率を決定してもよい。
【０１０３】
ファインダ切替制御部２３９によって、ファインダ２４０をＯＶＦ状態に設定し（ステップＳ１０８）、ファインダ変倍制御部２３８によって、ステップＳ１０６で決定したＯＶＦ倍率をファインダ２４０に設定する（ステップＳ１１０）。
【０１０４】
交換レンズが非装着であった場合（ステップＳ１０２でＮｏ）、撮像装置１００が撮影モードに設定されているか再生モードに設定されているかを判定する（ステップＳ１１２）。撮影モードは、被写体を撮像し、被写体の撮像画像を記録媒体の一例としてのメモリカード２３６に記録するモードである。再生モードは、メモリカード２３６に記録された被写体の撮像画像をモニタ２１３に再生表示するモードである。撮影モードに設定されている場合（ステップＳ１１２でＹｅｓ）、ファインダ切替制御部２３９によって、ファインダ２４０をＯＶＦ状態に設定し（ステップＳ１１４）、ファインダ変倍制御部２３８によって、デフォルトのＯＶＦ倍率をファインダ２４０に設定する（ステップＳ１１６）。再生モードに設定されている場合（ステップＳ１１２でＮｏ）、ファインダ切替制御部２３９によって、ファインダ２４０をＥＶＦ状態に設定し（ステップＳ１１８）、ファインダ変倍制御部２３８によって、デフォルトのＥＶＦ倍率をファインダ２４０に設定する（ステップＳ１２０）。
【０１０５】
［交換レンズの非装着検出時のファインダ制御処理例］
図１３は、交換レンズ３００の非装着を検出したときのファインダ制御処理の流れを示すフローチャートである。本処理は、カメラ本体のメインＣＰＵ２５１によって、プログラムに従い実行される。
【０１０６】
マウント通信部２５０（装着検出手段及びレンズ情報取得手段）によって、交換レンズ３００の非装着が検出されると、撮像装置１００が被写体の撮像画像を記録媒体の一例としてのメモリカード２３６に記録する撮影モードであるか、メモリカード２３６に記録された被写体の撮像画像をモニタ２１３に再生表示する再生モードのいずれであるかを判定する（ステップＳ２０２）。
【０１０７】
撮影モードの場合には、ファインダ切替制御部２３９によって、ファインダ２４０をＯＶＦ状態に設定する（ステップＳ２０４）。即ち、液晶シャッタ２４３による被写体光の遮断をオフにすることで、ファインダ窓２４１から入射した被写体の光学像を対物レンズ２４５及び接眼レンズ２４７を介して接眼部２４２に導く。また、表示制御部２１０によって、ファインダ２４０の液晶板２４８での被写体の撮像画像の表示をオフにする。
【０１０８】
再生モードの場合には、ファインダ切替制御部２３９によって、ファインダ２４０をＥＶＦ状態に設定する（ステップＳ２０６）。即ち、液晶シャッタ２４３によりファインダ窓２４１から入射した被写体光を遮断することで、ファインダ窓２４１から入射した被写体の光学像が接眼部２４２に届かないようにする。また、表示制御部２１０によって、ファインダ２４０の液晶板２４８での被写体の撮像画像の表示をオンにする。
【０１０９】
［操作手段の操作時のファインダ制御処理例］
図１４は、撮像装置１００のファインダ操作レバー２１４が操作されたときのファインダ制御処理例の流れを示すフローチャートである。本処理は、カメラ本体のメインＣＰＵ２５１によって、プログラムに従い実行される。
【０１１０】
まず、ファインダ操作レバー２１４の操作がファインダ切替操作（第１の操作）であるか否かを判定する（ステップＳ３０２）。
【０１１１】
ファインダ切替操作（第１の操作）である場合、ファインダ２４０がＯＶＦ及びＥＶＦのいずれの状態であるかを判定し（ステップＳ３０４）、ファインダ２４０がＯＶＦ状態である場合、交換レンズ３００が装着されているか非装着であるかを判定し（ステップＳ３０５）、交換レンズ３００が装着されていた場合（ステップＳ３０５でＮｏの場合）、ファインダ切替制御部２３９によって、ファインダ２４０をＯＶＦ状態からＥＶＦ状態に切り替える（ステップＳ３０６）。交換レンズ３００が非装着である場合（ステップＳ３０５でＹｅｓの場合）には、第１の操作が行われても、ＯＶＦ状態を保つ。尚、撮像レンズの非装着状態でファインダ切替操作（第１の操作）が行われた場合、メインＣＰＵ２５１は、被写体の撮像画像が表示不可であることを示す情報をファインダ２４０の液晶板２４８（表示部）に表示させることで、ファインダ２４０の液晶板２４８に表示された情報をファインダのＥＶＦ光学系（第２のファインダ光学系）を介して被写体の光学像に重ねることが、好ましい。ファインダ２４０がＥＶＦ状態である場合、撮影モードであるか再生モードであるかを判定し（ステップＳ３０８）、撮影モードである場合、さらに交換レンズ３００が装着されているか否かを判定し（ステップＳ３１０）、交換レンズ３００が装着されている場合には、ファインダ切替制御部２３９によって、ファインダ２４０をＥＶＦ状態からＯＶＦ状態に切り替える（ステップＳ３１２）。再生モードである場合、ファインダ切替操作（第１の操作）が行われても、表示制御部２１０によって、ワーニング情報（マーク、メッセージ等）を液晶板２４８に表示することで、接眼部２４２の被写体の光学像にワーニング情報を重畳表示する（ステップＳ３１４）。
【０１１２】
また、ファインダ操作レバー２１４の操作がファインダ変倍操作（第２の操作）であるか否かを判定する（ステップＳ３１６）。
【０１１３】
ファインダ変倍操作（第２の操作）である場合、ファインダ２４０がＯＶＦ及びＥＶＦのいずれの状態であるかを判定する（ステップＳ３１８）。ＯＶＦ状態である場合、ファインダ変倍制御部２３９によって、ファインダの２４０のＯＶＦ倍率を変更する（ステップＳ３２０）。ＥＶＦ状態である場合、ファインダの２４０のＥＶＦ倍率を変更する（ステップＳ３２２）。
【０１１４】
［操作手段の操作時のファインダ制御処理例］
図１５は、撮像装置１００のモード切替処理時のファインダ制御処理例の流れを示すフローチャートである。本処理は、カメラ本体のメインＣＰＵ２５１によって、プログラムに従い実行される。
【０１１５】
まず、モード切替か否かを判定し（ステップＳ４０２）、モード切替である場合には、撮影モードから再生モードに切り替えるか否かを判定する（ステップＳ４０４）。
【０１１６】
撮影モードから再生モードに切り替える場合には（ステップＳ４０４でＹｅｓ）、ファインダ２４０のＯＶＦ倍率をＳＤＲＡＭ２３２に記憶し（ステップＳ４０６）、ファインダ切替制御部２３９によって、ファインダ２４０をＥＶＦ状態に設定する（ステップＳ４０８）。
【０１１７】
また、再生モードから撮影モードに切り替えるか否かを判定する（ステップＳ４１０）。再生モードから撮影モードに切り替える場合には、前回の撮影モード時にファインダ２４０に設定されていたＯＶＦ倍率をＳＤＲＡＭ２３２から取得し、その取得したＯＶＦ倍率をファインダ２４０のＯＶＦ光学系に設定する。即ち、前回の撮影モード時にファインダ２４０に設定されていたＯＶＦ倍率であってＳＤＲＡＭ２３２から取得したＯＶＦ倍率を、ファインダ変倍制御部２３８によって、ファインダ２４０に設定する。
【０１１８】
以上説明したように、メインＣＰＵ２５１（制御手段）は、撮像装置１００の電源オン時には、交換レンズ３００（撮像レンズ）から取得されたレンズ情報に基づいて、ファインダ２４０のＯＶＦ光学系（第１のファインダ光学系）の倍率を交換レンズ３００の焦点距離に応じた倍率に設定し、再生モードから撮影モードに復帰した場合は、ファインダ２４０のＯＶＦ光学系（第１のファインダ光学系）の倍率を復帰前の撮影モードで設定されていた倍率に設定する。即ち、電源オン時は、撮影状況が前回の撮影時とは変わっている場合が多いので、ファインダ２４０の光学倍率（第１のファインダ光学系の倍率）が交換レンズ３００に適したデフォルト値でよいが、再生モードから撮影モードに復帰した場合は、撮影状況が前回の撮影時と同じ場合が多いので、ユーザにとって、ファインダ２４０の光学倍率が自動的に前回の撮影時と同じ倍率に切り換わることが好ましい。
【０１１９】
また、メインＣＰＵ２５１（制御手段）は、撮影モードから省電力のスリープモードに切り替える機能を有し、スリープモードから撮影モードに復帰させた場合は、ＯＶＦ光学系（第１のファインダ光学系）の光学倍率を復帰前の撮影モードで設定されていた倍率に設定する。即ち、電源オン時は、撮影状況が前回の撮影時とは変わっている場合が多いので、ファインダ２４０の光学倍率が交換レンズ３００に適したデフォルト値で一般によいが、スリープモードから撮影モードに復帰した場合には、撮影状況が前回の撮影時と同じ場合が多いので、ユーザにとって、ファインダ２４０の光学倍率が自動的に前回の撮影時と同じ倍率に切り換わることが好ましい。
【０１２０】
［操作手段のバリエーション］
図１に示した撮像装置１００は、ファインダ切替操作及びファインダ変倍操作の兼用の操作手段として、指で回動操作可能な部材（指回動操作部材）からなるファインダ操作レバー２１４を設けた場合を例に説明したが、本発明は、このような場合に限定されない。
【０１２１】
図１６は、ファインダ操作レバー２１４として、指でスライド操作可能な部材（指スライド操作部材）からなるファインダ操作レバー２１４をカメラ本体２００の前面に設けた場合を示す。
【０１２２】
図１６において、ファインダ操作レバー２１４、発光部２６２及びマイク２６４は、撮像装置１００の被写体と正対する前面に配置されている。ファインダ操作レバー２１４は、指の操作（ファインダ切替操作及びファインダ変倍操作）により、発光部２６２の位置とは離間する方向に移動する。ファインダ操作レバー２１４から指を離すと、ファインダ操作レバー２１４は元の位置（デフォルト位置）に戻る。
【０１２３】
［ＯＶＦ変倍のバリエーション］
図９に示したファインダ２４０は、一枚のファインダ変倍レンズ２４４をＯＶＦ光学系の光路Ｌ２に対して進退させることで、ＯＶＦ倍率を切り替えるよう構成されているが、本発明はこのような場合に限定されない。
【０１２４】
複数枚のファインダ変倍レンズ２４４をＯＶＦ光学系の光路Ｌ２に対して進退させることで、複数段階でＯＶＦ倍率を切り替える構成としてもよい。
【０１２５】
また、ファインダ２４０に、ＯＶＦ光学系（第１のファインダ光学系）の光路Ｌ２に沿って移動する変倍レンズを設け、この変倍レンズによってＯＶＦ倍率の変更を行ってもよい。
【０１２６】
尚、本発明は、本明細書において説明した例や図面に図示された例には限定されず、本発明の要旨を逸脱しない範囲において、各種の設計変更や改良を行ってよいのはもちろんである。
【符号の説明】
【０１２７】
１００：撮像装置、２００：カメラ本体、２０１：撮像素子制御部、２０２：撮像素子、２０３：アナログ信号処理部、２０４：ＡＤ変換器、２０５：画像入力コントローラ、２０６：デジタル信号処理部、２０８：圧縮・伸張処理部、２１０：表示制御部、２１１：レリーズボタン、２１２：ダイヤル、２１３：モニタ、２１４：ファインダ操作レバー、２２０：操作部、２２１：十字キー、２２２：ＭＥＮＵ／ＯＫキー、２２３：ＢＡＣＫキー、２２４：Ｑボタン、２２７：ＡＦ検出部、２２９：ＡＥ／ＡＷＢ検出部、２３４：メディア制御部、２３６：メモリカード、２３８：ファインダ変倍制御部、２３９：ファインダ切替制御部、２４０：ファインダ、２４１：ファインダ窓、２４２：接眼部、２４３：液晶シャッタ、２４４：ファインダ変倍レンズ、２４５：対物レンズ、２４６：プリズム、２４７：接眼レンズ、２４８：液晶板、２４９：液晶板用レンズ、２５０：マウント通信部、２５１…メインＣＰＵ、２５２：バッテリ、２５６：マウント、３００…レンズ装置、３１０…ズームレンズ制御部、３２０…フォーカスレンズ制御部、３３０…絞り制御部、３４０…レンズＣＰＵ、３４６…マウント、３５０…マウント通信部、ＺＬ…ズームレンズ、ＦＬ…フォーカスレンズ、Ｉ…絞り
【図１】
2013153713.tif 000003
【図２】
2013153713.tif 000004
【図３】
2013153713.tif 000005
【図４】
2013153713.tif 000006
【図５】
2013153713.tif 000007
【図６】
2013153713.tif 000008
【図７】
2013153713.tif 000009
【図８】
2013153713.tif 000010
【図９】
2013153713.tif 000011
【図１０】
2013153713.tif 000012
【図１１】
2013153713.tif 000013
【図１２】
2013153713.tif 000014
【図１３】
2013153713.tif 000015
【図１４】
2013153713.tif 000016
【図１５】
2013153713.tif 000017
【図１６】
2013153713.tif 000018
【手続補正書】
【提出日】平成26年9月26日(2014.9.26)
【手続補正１】
【補正対象書類名】明細書
【補正対象項目名】００７６
【補正方法】変更
【補正の内容】
【００７６】
［ファインダ切替制御の例の説明］
ファインダ切替制御例の概要について説明する。ファインダ操作レバー２１４によってファインダ切替操作（第１の操作）が行われた場合、メインＣＰＵ２５１は、ファインダ切替制御部２３９により、ファインダ２４０をＯＶＦ（光学ビューファインダ）状態とするかＥＶＦ（電子ビューファインダ）状態とするかを切り替える制御を行う。ＯＶＦ状態では、図３に示したように、ファインダ窓２４１に入射した被写体の光学像が、光軸Ｌ２に沿って、非遮光状態の液晶シャッタ２４３、対物レンズ２４５、及びプリズム２４６及び接眼レンズ２４７を介して、接眼部２４２に導かれる。また、ＥＶＦ状態では図４に示したように、液晶シャッタ２４３は遮光状態に設定され、液晶板２４８に表示された被写体の撮像画像が、光軸Ｌ３に沿って液晶板用レンズ２４９を介してプリズム２４６に達し、プリズム２４６のハーフミラー面２４６Ｍで反射されて、光軸Ｌ２に沿って接眼レンズ２４７を介して接眼部２４２に導かれる。
【手続補正２】
【補正対象書類名】明細書
【補正対象項目名】００８０
【補正方法】変更
【補正の内容】
【００８０】
本実施形態のメインＣＰＵ２５１は、マウント通信部２５０、３５０によって交換レンズ３００から交換レンズ３００の情報（例えば焦点距離に関する情報）を取得して、交換レンズ３００の焦点距離に応じてＯＶＦ光学系の倍率を変更する第１のＯＶＦ変倍制御機能と、ファインダ操作レバー２１４によるファインダ変倍操作（第２の操作）に応じてＯＶＦ光学系の倍率を変更する第２のＯＶＦ変倍制御機能を有する。
【手続補正３】
【補正対象書類名】明細書
【補正対象項目名】００９７
【補正方法】変更
【補正の内容】
【００９７】
ファインダ操作レバー２１４の操作が有りか否かを判定し（ステップＳ３８）、操作有りの場合には、ファインダ操作レバー２１４の第１の回数の操作があったか否かを判定する（ステップＳ４０）。つまり、ファインダ操作レバー２１４を第２の位置に一定の時間間隔（例えば１秒）よりも短い時間間隔で繰り返し位置させる操作が第１の回数（例えば１回）あったか否かを判定する。ファインダ操作レバー２１４の第１の回数の操作があった場合、ＯＶＦフラグが「１」であるか否かを判定し（ステップＳ４２）、ＯＶＦフラグが「１」である場合には、ファインダ変倍制御部２３８によりファインダ変倍レンズ２４４を光路Ｌ２に対して進退させてファインダ２４０の光学倍率を変更し（ステップＳ４４）、ＯＶＦフラグが「０」である場合には、表示制御部２１０によりファインダ２４０の電子倍率（ＥＶＦ倍率）を変更する（ステップＳ４６）。
【手続補正４】
【補正対象書類名】明細書
【補正対象項目名】０１１３
【補正方法】変更
【補正の内容】
【０１１３】
ファインダ変倍操作（第２の操作）である場合、ファインダ２４０がＯＶＦ及びＥＶＦのいずれの状態であるかを判定する（ステップＳ３１８）。ＯＶＦ状態である場合、ファインダ変倍制御部２３９によって、ファインダの２４０のＯＶＦ倍率を変更する（ステップＳ３２０）。ＥＶＦ状態である場合、ファインダ２４０のＥＶＦ倍率を変更する（ステップＳ３２２）。
【手続補正５】
【補正対象書類名】明細書
【補正対象項目名】０１２１
【補正方法】変更
【補正の内容】
【０１２１】
図１６は、ファインダ操作レバー２１４として、指でスライド操作可能な部材（指スライド操作部材）からなるファインダ操作レバー２１４ａをカメラ本体２００の前面に設けた場合を示す。
【手続補正６】
【補正対象書類名】明細書
【補正対象項目名】０１２２
【補正方法】変更
【補正の内容】
【０１２２】
図１６において、ファインダ操作レバー２１４ａ、発光部２６２及びマイク２６４は、撮像装置１００の被写体と正対する前面に配置されている。ファインダ操作レバー２１４ａは、指の操作（ファインダ切替操作及びファインダ変倍操作）により、発光部２６２の位置とは離間する方向に移動する。ファインダ操作レバー２１４ａから指を離すと、ファインダ操作レバー２１４ａは元の位置（デフォルト位置）に戻る。
【国際調査報告】
2013153713.tif 000019
2013153713.tif 000020
2013153713.tif 000021